(57)【要約】  空気調和装置は、暖房ユニット（３０５）を使用する暖房運転モードが指定されており、かつ貯湯タンク（１９）の温水を使用する給湯要求が無い場合には、暖房ユニット（３０５）を選択する第１選択信号を三方弁（２０）に送信し、暖房運転モードが指定されており、かつ給湯要求が発生した場合には、二次冷媒を循環させる対象を暖房ユニット（３０５）からコイル熱交換器（１８）に変更する第２選択信号を三方弁（２０）に送信するとともに、冷媒室内機（３０３）に対して運転開始信号を送信する。
2017126059.tif 000002
【特許請求の範囲】
【請求項１】
暖房と給湯とを行なうように構成された空気調和装置であって、
第１の冷媒の熱源として作動するように構成された熱源ユニットと、
部屋に設置され、第２の冷媒を循環させることによって暖房を行なうように構成された暖房ユニットと、
前記熱源ユニットから前記第１の冷媒を受けて、前記部屋の空調を行なうように構成された冷媒室内機と、
前記第１の冷媒を循環させることによって前記第２の冷媒を加熱し、前記第２の冷媒を循環させることによって温水を作るように構成された温水ユニットとを備え、
前記温水ユニットは、
貯湯タンクと、
前記第１の冷媒と前記第２の冷媒との間で熱交換を行なうように構成された第１熱交換ユニットと、
前記第２の冷媒と前記貯湯タンク内の水との間で熱交換を行なうように構成された第２熱交換ユニットと、
前記第２熱交換ユニットと前記暖房ユニットとのいずれか一方を選択し、選択されたユニットと前記第１熱交換ユニットとの間で循環流路を形成するように構成された流路選択部とを含み、前記流路選択部は、前記暖房ユニットが動作しており、かつ、前記貯湯タンクの湯に対する要求が発生した場合には、前記第２熱交換ユニットを選択する、空気調和装置。
【請求項２】
前記空気調和装置は、前記暖房ユニットが動作しており、かつ、前記湯に対する要求が発生した場合に、前記第２熱交換ユニットを選択するように前記流路選択部を切換えるとともに、前記冷媒室内機による暖房を開始するように構成された制御装置をさらに備える、請求項１に記載の空気調和装置。
【請求項３】
前記制御装置は、前記湯に対する要求の発生に応じて前記流路選択部の選択が前記暖房ユニットから前記第２熱交換ユニットに変更された場合において、前記湯に対する要求が無い状態に変化した場合には、前記流路選択部の選択を前記暖房ユニットに戻すとともに、暖房を停止するように前記冷媒室内機を制御する、請求項２に記載の空気調和装置。
【請求項４】
前記制御装置は、
前記冷媒室内機と、前記暖房ユニットの設置位置を入力する入力部と、
前記設置位置を記憶する記憶部と、
前記記憶部の記憶している前記設置位置に基づいて、前記暖房ユニットが設置されている部屋に前記冷媒室内機が設置されているか否かを判断する制御部とを含む、請求項２または３に記載の空気調和装置。
【請求項５】
前記制御装置は、前記暖房ユニットが使用されており、かつ前記冷媒室内機に対する暖房開始要求が発生した場合、前記暖房ユニットを用いた暖房の設定温度がしきい値より高いときには前記暖房開始要求を受け付ける一方で、前記設定温度がしきい値より低いときには前記暖房開始要求を受け付けない、請求項２〜４のいずれか１項に記載の空気調和装置。
【請求項６】
前記制御装置は、前記暖房ユニットが使用されており、かつ前記冷媒室内機に対する暖房開始要求が発生した場合、前記第２の冷媒を使用する前記暖房ユニットの種類に基づいて前記暖房開始要求を受け付けるか否かを判断する、請求項２〜４のいずれか１項に記載の空気調和装置。
【請求項７】
前記制御装置は、前記暖房ユニットが使用されており、かつ前記冷媒室内機に対する暖房開始要求が発生した場合、前記熱源ユニットの凝縮温度がしきい値より高いときには前記暖房開始要求を受け付ける一方で、前記熱源ユニットの凝縮温度がしきい値より低いときには前記暖房開始要求を受け付けない、請求項２〜４のいずれか１項に記載の空気調和装置。
【請求項８】
前記冷媒室内機は複数の冷媒室内機のうちの第１の冷媒室内機であり、
前記制御装置は、前記熱源ユニットの容量に対応する台数制限の範囲内で、前記複数の冷媒室内機のうちから少なくとも１台以上の室内機を給湯開始時に自動で暖房運転開始させる、請求項２〜７のいずれか１項に記載の空気調和装置。
【請求項９】
前記冷媒室内機は複数の冷媒室内機のうちの第１の冷媒室内機であり、
前記制御装置は、前記複数の冷媒室内機がそれぞれ設置されている部屋の温度に応じて、自動で暖房運転する室内機を前記複数の冷媒室内機から選択する、請求項２〜７のいずれか１項に記載の空気調和装置。
【請求項１０】
前記冷媒室内機が自動運転または自動停止していることを表示する表示部をさらに備える、請求項１〜９のいずれか１項に記載の空気調和装置。
【発明の詳細な説明】
【技術分野】
【０００１】
本発明は、室内の空気を暖める暖房、および水を加熱する給湯を同時に実行することができる空気調和装置に関し、特に、給湯中も暖房を継続的に行なう空気調和装置に関する。
【背景技術】
【０００２】
室内空気を暖める暖房運転、および給湯用途として貯湯タンクへの蓄熱を行なう給湯運転を同時に行なうヒートポンプ熱源システムが知られている。このような従来のヒートポンプ熱源システムでは、暖房と給湯を１つのシステムにて行なうことができる。このため、別々のシステムで構築する場合と比較して、設置スペースを小さくすることができる。この結果、設置制約の大きい物件に対しても、暖房と給湯の両方を備えるシステムを提供することが可能となる。【０００３】
特開２０１３−１５５９１１号公報（特許文献１）には、１つのヒートポンプ熱源機に対して、温水による給湯と暖房を選択的に行なうことができるシステムが開示されている。
【先行技術文献】
【特許文献】
【０００４】
【特許文献１】特開２０１３−１５５９１１号公報
【発明の概要】
【発明が解決しようとする課題】
【０００５】
ヒートポンプの一次冷媒（ＨＦＣ冷媒など）で二次冷媒（水、ブラインなど）を加熱し、二次冷媒を給湯タンクの加熱と温水暖房に使用する場合、温水暖房中に給湯要求が発生すると二次冷媒の温度が低下し温水暖房ができない（または温度が十分にあがらない）という課題がある。なお、ヒートポンプの容量を大きくすれば良いが、それではサイズが大型になり、二次冷媒を給湯タンクの加熱と温水暖房の両方に使用することによる小型化のメリットが得られない。【０００６】
本発明は、上記課題を解決するためになされたものであって、ヒートポンプの容量の増大を抑制しつつ、給湯時に温水暖房中の部屋の温度低下を防ぐことができる空気調和装置を提供することを目的とする。
【課題を解決するための手段】
【０００７】
この発明に係る空気調和装置は、暖房と給湯とを行なうように構成された空気調和装置であって、熱源ユニットと、暖房ユニットと、冷媒室内機と、温水ユニットと、制御装置とを備える。【０００８】
熱源ユニットは、第１の冷媒の熱源として作動するように構成される。暖房ユニットは、部屋に設置され、第２の冷媒を循環させることによって暖房を行なうように構成される。冷媒室内機は、熱源ユニットから第１の冷媒を受けて、暖房ユニットが設置されている部屋の空調を行なうように構成される。温水ユニットは、第１の冷媒を循環させることによって第２の冷媒を加熱し、第２の冷媒を循環させることによって温水を作るように構成される。【０００９】
温水ユニットは、貯湯タンクと、第１熱交換ユニットと、第２熱交換ユニットと、流路選択部とを含む。第１熱交換ユニットは、第１の冷媒と第２の冷媒との間で熱交換を行なうように構成される。第２熱交換ユニットは、第２の冷媒と貯湯タンク内の水との間で熱交換を行なうように構成される。流路選択部は、第２熱交換ユニットと暖房ユニットとのいずれか一方を選択し、選択されたユニットと第１熱交換ユニットとの間で循環流路を形成するように構成される。【００１０】
流路選択部は、暖房ユニットが動作しており、かつ、貯湯タンクの湯に対する要求が発生した場合には、第２熱交換ユニットを選択する。
【発明の効果】
【００１１】
本発明によれば、熱源ユニットの容量を過剰に大きくすることなく、給湯を実行中に温水暖房を使用していた部屋の温度低下を防ぐことができる。これにより、室内暖房を維持しつつ、かつ、貯湯タンクの湯の湯切れを回避することができるようになり、高い快適性を実現できる。
【図面の簡単な説明】
【００１２】
【図１】実施の形態１に係る空気調和装置の全体構成を示した概略図である。
【図２】実施の形態１に係る空気調和装置の冷媒回路の構成を示す図である。
【図３】制御装置１１０とセンサ群およびアクチュエータ群との接続構成を示すブロック図である。
【図４】温水暖房運転時に給湯要求があった場合の制御を説明するためのフローチャートである。
【図５】実施の形態２に係る空気調和装置の全体構成を示した概略図である。
【図６】実施の形態２に係る空気調和装置の冷媒回路の構成を示す図である。
【図７】制御装置１１０Ａとセンサ群およびアクチュエータ群との接続構成を示すブロック図である。
【図８】運転台数の制約がある場合のアシスト暖房の制御を説明するためのフローチャートである。
【図９】暖房同時運転を制限する場合の処理を説明するためのフローチャートである。
【図１０】実施の形態３における空気調和装置５２０の全体構成を示す図である。
【図１１】実施の形態３において実行される制御を説明するためのフローチャートである。
【図１２】図１１のステップＳ５４において稼動する冷媒室内機を選択する処理の一例を示すフローチャートである。
【図１３】図１２のフローチャートの選択処理によって、冷媒室内機３０３Ａ，３０３Ｂの運転が調整された例を説明するためのタイミングチャートである。
【発明を実施するための形態】
【００１３】
以下、本発明の実施の形態について、図面を参照しながら詳細に説明する。以下では、複数の実施の形態について説明するが、各実施の形態で説明された構成を適宜組合わせることは出願当初から予定されている。なお、図中同一又は相当部分には同一符号を付してその説明は繰返さない。
【００１４】
［実施の形態１］
＜全体構成＞
図１は、実施の形態１に係る空気調和装置の全体構成を示した概略図である。図１を参照して、室外に熱源ユニット３０１が配置され、室内に分岐ユニット３０２、冷媒室内機３０３、温水ユニット３０４、温水暖房ユニット３０５が配置されている。そして、各ユニットが、図１に示すように、配管により接続されている。冷媒室内機３０３は温水暖房ユニット３０５と同室に設置されている。
【００１５】
冷媒室内機３０３は、室内に温風を供給して暖房を行なう。また、温水ユニット３０４は、給湯のために温水をタンクに蓄える。なお、図１に示した配置はユニット設置の一例であり、本発明が適用されるユニット配置は、図１の配置に限定されるものではない。例えば、冷媒室内機３０３は複数台であってもよい。
【００１６】
＜機器構成＞
図２は、実施の形態１に係る空気調和装置の冷媒回路の構成を示す図である。図１、図２を参照して、空気調和装置５００は、熱源ユニット３０１と、温水暖房ユニット３０５と、冷媒室内機３０３と、温水ユニット３０４と、制御装置１１０とを含む。空気調和装置５００は、暖房と給湯とを行なうように構成されている。
【００１７】
熱源ユニット３０１は、一次冷媒の熱源として作動するヒートポンプ式の熱源ユニットである。温水暖房ユニット３０５は、二次冷媒を使用して暖房を行なう。冷媒室内機３０３は、熱源ユニット３０１から送出される一次冷媒を使用して、温水暖房ユニット３０５が設置されている部屋の空調を行なう。温水ユニット３０４は、熱源ユニット３０１から送出される一次冷媒を使用して液媒体である二次冷媒を加熱し、二次冷媒を使用して温水を作る。
【００１８】
空気調和装置５００に用いられる一次冷媒は、特に限定されない。例えば、Ｒ４１０Ａ、Ｒ３２などのＨＦＣ（Ｈｙｄｒｏ  Ｆｌｕｏｒｏ  Ｃａｒｂｏｎ）冷媒、ＨＣＦＣ（Ｈｙｄｒｏ  Ｃｈｌｏｒｏ  Ｆｌｕｏｒｏ  Ｃａｒｂｏｎ）冷媒、炭化水素、ヘリウム等の自然冷媒を用いることができる。二次冷媒の液媒体としては、水あるいは不凍液を混合したブライン等を用いることができる。
【００１９】
温水ユニット３０４は、貯湯タンク１９と、水熱交換器１１と、コイル熱交換器１８と、流路選択部（例えば三方弁２０）と、水ポンプ１７とを含む。
【００２０】
水熱交換器１１は、一次冷媒と二次冷媒との間で熱交換を行なう第１熱交換ユニットである。コイル熱交換器１８は、二次冷媒を用いて貯湯タンク１９内の水を加熱する第２熱交換ユニットである。流路選択部は、選択信号に応じてコイル熱交換器１８と温水暖房ユニット３０５とのいずれか一方を選択し、選択したユニットと水熱交換器１１との間で循環流路を形成する。水ポンプ１７は、循環流路に二次冷媒を循環させる。流路選択部は、図２では三方弁２０が例示されるが、流路の切替を行なうものであれば、他の構成であっても良く、例えば、複数の電磁弁を組み合わせて用いても良い。
【００２１】
図２に示した空気調和装置５００は、蒸気圧縮式のサイクル運転を行なうことによって、冷媒室内機３０３による暖房指令（暖房ＯＮ／ＯＦＦ）と、温水ユニット３０４による給湯要求指令（給湯ＯＮ／ＯＦＦ）とを同時に処理することができる。また、温水ユニット３０４にて三方弁２０を切り換えることよって、貯湯タンク１９における水の加熱と温水暖房ユニット３０５での暖房とのいずれか一方を選択的におこなうことができる。
【００２２】
熱源ユニット３０１と分岐ユニット３０２とは、冷媒配管である配管３および配管９を介して接続されている。また、分岐ユニット３０２と冷媒室内機３０３とは、冷媒配管である配管４、および配管７を介して接続されている。さらに、分岐ユニット３０２と温水ユニット３０４とは、冷媒配管である配管１０および配管１２を介して接続されている。
【００２３】
熱源ユニット３０１は、圧縮機１と、四方弁２と、熱源側の熱交換器１４と、熱源側の送風機１５と、アキュムレータ１６と、圧力センサ２０１と、温度センサ２０２，２１２，２１３とを含む。圧力センサ２０１は、圧縮機１の吐出側に設けられており、設置場所の冷媒圧力を計測する。また、温度センサ２０２は、圧縮機１の吐出側に設けられ、温度センサ２１２は、熱交換器１４の液側に設けられている。温度センサ２０２，２１２は、それぞれ、設置場所の一次冷媒の温度を計測する。また、温度センサ２１３は、空気吸込口に設けられており、外気温度を計測する。
【００２４】
分岐ユニット３０２は、冷媒利用側の減圧機構８と、温水側の減圧機構１３とを含む。減圧機構としては、例えば電子膨張弁を使用することができる。また、温度センサ２０３は、冷媒室内機３０３の配管４に接続される側に設けられ、温度センサ２０６は、温水ユニット３０４に接続される配管１０に設けられている。温度センサ２０３，２０６は、それぞれの設置場所の一次冷媒の温度を計測する。
【００２５】
冷媒室内機３０３は、冷媒利用側の熱交換器５と、冷媒利用側の送風機６とを含む。送風機６は、送風量の調整が可能である。そして、冷媒室内機３０３は、送風機６の働きにより吸入した室内空気を、熱交換器５によって一次冷媒と熱交換させた後に、室内に吹出す。
【００２６】
なお、冷媒室内機３０３には、温度センサ２０５が熱交換器５の配管７に接続される側に設けられており、設置場所の一次冷媒の温度を計測する。また、温度センサ２０４が室内空気の吸入口側に設けられており、冷媒室内機３０３に流入する室内空気の温度を計測する。
【００２７】
温水ユニット３０４は、水熱交換器１１と、水側回路とを含む。ここで、水側回路は、水ポンプ１７と、コイル熱交換器１８と、貯湯タンク１９とにより構成されており、熱交換の媒体として液媒体である二次冷媒を循環する回路である。水ポンプ１７は、回転速度がインバータによって変更できるように構成され、液媒体を循環させる。貯湯タンク１９は、満水式である。
【００２８】
図２では詳細には示していないが、この貯湯タンク１９は、沸きあげられた湯を貯留するとともに、出湯要求に応じてタンク上部より湯が出水し、出水した量だけ、低温の水道水がタンク下部より給水されるように構成される。
【００２９】
温水ユニット３０４には、温度センサ２０７が水熱交換器１１の配管１２に接続される側に設けられている。温度センサ２０７は、設置場所の一次冷媒の温度を計測する。また、温度センサ２０９が二次冷媒の流路における水熱交換器１１の下流側に設置され、温度センサ２１０が二次冷媒の流路における水熱交換器１１の上流側に設置され、温度センサ２１１が貯湯タンク１９の側面に設置される。温度センサ２０９，２１０，２１１は、それぞれの設置位置の二次冷媒の温度（二次冷媒が水の場合は水温）を計測する。
【００３０】
また、温水暖房ユニット３０５は設置位置の室内空気と熱交換するためのものであり、ラジエータ、ファンコイルまたは温水床暖房等を含んで構成されている。
【００３１】
次に、制御装置１１０による具体的な制御内容について詳細に説明する。図３は、制御装置１１０とセンサ群およびアクチュエータ群との接続構成を示すブロック図である。
【００３２】
図３を参照して、制御装置１１０は、空気調和装置５００の制御を行なう主制御装置１０１と、リモートコントローラ１０７とを含んで構成される。なお、図３には示していないが、主制御装置１０１は、リモートコントローラ１０７からの指令も読み取ることができる受信回路等の構成も含む。
【００３３】
センサ群とは、各種の温度センサ２０２〜２１３、および圧力センサ２０１を含む総称である。また、アクチュエータ群とは、圧縮機１、四方弁２、減圧機構８，１３、送風機６，１５、水ポンプ１７および三方弁２０を含む総称である。
【００３４】
主制御装置１０１は、測定部１０２、演算部１０３、制御部１０４、記憶部１０５を含んで構成されている。
【００３５】
測定部１０２は、圧力センサ２０１および各種の温度センサ２０２〜２１３によって検知された各諸量を読み取る。そして、演算部１０３は、測定部１０２を介して読み取られた情報に基づき、制御演算を実行する。そして、制御部１０４は、演算部１０３による演算結果に基づく制御動作を実行することにより、アクチュエータ群の制御を行なう。
【００３６】
また、主制御装置１０１は、あらかじめ定められた定数、あるいはリモートコントローラ１０７から送信される設定値等を記憶する記憶部１０５を内蔵している。そして、制御部１０４は、必要に応じて、これらの記憶内容の参照、および書き換えを実施することが可能である。
【００３７】
図２では図示していないが、分岐ユニット３０２と、冷媒室内機３０３と、温水ユニット３０４とは、熱源ユニット３０１に対して、それぞれ通信線（有線または無線）で接続されている。このような構成を備えることで、主制御装置１０１内の制御部１０４は、分岐ユニット３０２と、冷媒室内機３０３と、温水ユニット３０４のそれぞれに、直接、指令する信号を送信できる。
【００３８】
上述した測定部１０２、演算部１０３、制御部１０４は、マイクロコンピュータにより構成されており、記憶部１０５は、半導体メモリなどによって構成されている。冷媒室内機３０３が温水暖房ユニット３０５と同じ部屋に設置されているかを設置工事時に入力部１０８から入力し、記憶部１０５にて記憶する。設置位置とは、温水暖房ユニット３０５と冷媒室内機３０３とがそれぞれ同じ部屋かもしくは違う部屋かが分かるような情報であれば何でもよい。例えば、冷媒室内機３０３を設置する際に、同じ部屋に温水暖房ユニット３０５が「ある」または「なし」、という入力を行なうことにしてもよい。
【００３９】
この場合、制御装置１１０は、冷媒室内機３０３と、温水暖房ユニット３０５の設置位置を入力する入力部１０８と、設置位置を記憶する記憶部１０５と、記憶部１０５の記憶している設置位置に基づいて、温水暖房ユニット３０５が設置されている部屋に冷媒室内機３０３が設置されているか否かを判断する制御部１０４とを含む。
【００４０】
また、図２では、熱源ユニット３０１と同じ筐体内に主制御装置１０１を配置した場合を想定しているが、主制御装置１０１の配置場所は、これに限定されない。
【００４１】
また、ユーザーは、リモートコントローラ１０７を介して、冷房ＯＮ／ＯＦＦ、暖房ＯＮ／ＯＦＦ、給湯ＯＮ／ＯＦＦ、温水暖房ＯＮ／ＯＦＦを入力部１０８により選択できるとともに、室内設定温度、沸き上げ温度、温水設定温度を入力することができる。そして、主制御装置１０１内の制御部１０４は、ユーザーの操作に基づく設定データを読み取ることができる。
【００４２】
また、リモートコントローラ１０７には現在の運転モードや設定温度、設定温度の変更を促す表示をする表示部１０９が設けられている。
【００４３】
また、演算部１０３は、測定部１０２によって読み取られた、貯湯タンク１９の壁側面に設置されている温度センサ２１１の検出温度が、所定値以下（例えば、４５℃以下）となった場合には、自動的に給湯ＯＮと判断することができる。
【００４４】
次に、空気調和装置５００において実行される各種の運転モードにおける各機器の運転状態について説明する。
【００４５】
＜温水暖房運転モード＞
通常、実施の形態１のシステムでは、中間期では冷媒室内機３０３の暖房を行ない、冬期では毎日寒いため、温水暖房ユニット３０５により２４時間全館空調（暖房）を行なう。温水暖房ユニット３０５によって暖房する運転モードを「温水暖房運転モード」と呼ぶ。
【００４６】
空気調和装置５００は、リモートコントローラ１０７の入力部１０８から入力することができる「温水暖房ＯＮ」指令によって温水暖房運転モードを実施する。以下に、温水暖房運転モードにおける冷媒の流れ状態および各機器の制御方法を説明する。
【００４７】
図２を参照して、温水暖房運転モードにおいて、四方弁２は、圧縮機１の吐出側が配管３と接続され、圧縮機１の吸入側が熱交換器１４のガス側に接続されるように制御される。また、三方弁２０は、水熱交換器１１と温水暖房ユニット３０５が連通し、コイル熱交換器１８側は閉止となるように制御される。また、温水暖房ユニット３０５は熱容量が大きく厳寒期に２４時間運転される場合に使用される。そのような状況下では、冷媒室内機３０３は不要であるため、減圧機構８は閉路に制御される。圧縮機１から吐出した高温・高圧のガス冷媒（一次冷媒）は、四方弁２を経由して配管３および配管１０に流れる。
【００４８】
一次冷媒は、配管１０を通過後、水熱交換器１１に流入し、水ポンプ１７によって二次側に供給される二次冷媒（中間水）を加熱する。その後、一次冷媒は、水熱交換器１１から流出し、配管１２を経由して、減圧機構１３により減圧され、配管９を経由して熱交換器１４に流入する。一次冷媒は、送風機１５によって供給される室外空気と熱交換器１４において熱交換を行ない、低圧ガス冷媒となる。熱交換器１４から流出した低圧ガス冷媒（一次冷媒）は、その後、四方弁２を経由して、アキュムレータ１６を通過後、再び圧縮機１に吸入される。
【００４９】
温水暖房運転モードにおける水側回路の運転状態について説明する。水ポンプ１７により送水された二次冷媒は、水熱交換器１１で一次冷媒により加熱され、高温となる。そして、高温となった二次冷媒は、三方弁２０、配管２１を通過し、温水暖房ユニット３０５にて設置位置の室内空気と熱交換することで温度が低下する。その後、二次冷媒は、配管２２、分岐点２３を経由して再び水ポンプ１７に流入する。なお、三方弁２０を設ける位置は、分岐点２３であっても良い。
【００５０】
圧縮機１の運転周波数は、凝縮温度が凝縮温度目標値（例えば５０℃）となるように、制御される。凝縮温度は圧力センサ２０１の検出圧力の飽和温度である。また、送風機１５の回転速度は、最大回転速度で固定とする。減圧機構１３は水熱交換器１１の過冷却度が所定値となるように制御される。水熱交換器１１の過冷却度は圧力センサ２０１の検出圧力の飽和温度から温度センサ２０７の検出温度を差し引くことにより求められる。また、水ポンプ１７の回転速度は、所定の回転速度に固定される。以上の制御が主制御装置１０１によって行なわれる。
【００５１】
＜給湯運転モード＞
次に、給湯運転モードの運転状態について説明する。空気調和装置５００は、リモートコントローラ１０７の入力部１０８から入力することができる「給湯ＯＮ」指令によって、給湯運転モードを実施することができる。以下に、給湯運転モードにおける一次冷媒、二次冷媒の流れ状態および各機器の制御方法を説明する。
【００５２】
三方弁２０は水熱交換器１１とコイル熱交換器１８とを接続し、配管２１側を閉止している。また、圧縮機１の運転周波数は湯切れ回避を狙い、最大周波数固定で制御されている。
【００５３】
次に給湯運転モードにおける水側回路の運転状態について説明する。水ポンプ１７により送水された二次冷媒は、水熱交換器１１で一次冷媒により加熱され、高温となる。そして、高温となった二次冷媒は、三方弁２０を通過後、貯湯タンク１９内に流入し、コイル熱交換器１８において貯湯タンク１９内の水を加熱することで、温度が低下する。その後、二次冷媒は、貯湯タンク１９内を経由して水熱交換器１１に再送水され、水熱交換器１１において再び高温となる。このようなプロセスによって、貯湯タンク１９に湯が沸き上げられる。
【００５４】
その他の動作は温水暖房運転モードと同様となる。
【００５５】
＜温水暖房運転モード時の給湯要求発生時のアシスト暖房動作＞
冬期では毎日寒いため、温水暖房ユニット３０５により２４時間全館空調（暖房）を行なう。図２に示した温水ユニット３０４は、給湯と温水暖房のいずれか一方を選択することしかできない。従来は温水暖房運転中に給湯要求が発生した場合、温水暖房運転を停止して給湯運転を実施していた。その結果、室内暖房を一次中断しなければならないため、暖房の快適性を損なっていた。
【００５６】
そこで、本実施の形態では、制御装置１１０は、給湯要求があると温水暖房ユニット３０５を使用する温水暖房を停止させて給湯要求に応じて貯湯タンク１９の水を加熱して温水を作り、かつその間は冷媒室内機３０３を用いたアシスト暖房を実施する。
【００５７】
制御装置１１０は、温水暖房ユニット３０５が使用されており、かつ、貯湯タンク１９の温水を使用する給湯要求が発生した場合には、コイル熱交換器１８を選択するように三方弁２０を切換えるとともに、冷媒室内機３０３による暖房を開始するように構成される。
【００５８】
すなわち、制御装置１１０は、温水暖房ユニット３０５を使用する暖房運転モードが指定されており、かつ貯湯タンク１９の温水を使用する給湯要求が無い場合には、温水暖房ユニット３０５を選択する第１選択信号を三方弁２０に送信する。また制御装置１１０は、暖房運転モードが指定されており、かつ給湯要求が発生した場合には、二次冷媒を循環させる対象を温水暖房ユニット３０５からコイル熱交換器１８に変更する第２選択信号を三方弁２０に送信するとともに、冷媒室内機３０３に対して運転開始信号を送信する。
【００５９】
また、制御装置１１０は、暖房運転モードが指定されており、かつ給湯要求がある状態から無い状態に変化した場合には、三方弁２０に送信する選択信号を第２選択信号から第１選択信号に戻すとともに、冷媒室内機３０３に対して運転停止信号を送信する。
【００６０】
この制御について、フローチャートによって説明を行なう。
図４は、温水暖房運転時に給湯要求があった場合の制御を説明するためのフローチャートである。このフローチャートの処理は、一定時間ごとにメインルーチンから呼び出されて実行される。図２、図４を参照して、制御装置１１０は、ステップＳ１において温水暖房運転開始の要求をリモートコントローラ１０７の入力部１０８から受信したか否かを判断する。温水暖房運転開始の要求を受信した場合（Ｓ１でＹＥＳ）、制御装置１１０はステップＳ２において、温水暖房運転を開始させるように、熱源ユニット３０１、分岐ユニット３０２および温水ユニット３０４を制御し、ステップＳ３に処理を進める。一方、温水暖房運転開始の要求を受信していない場合（Ｓ１でＮＯ）、制御装置１１０はステップＳ２の処理を実行せずに、ステップＳ３に処理を進める。
【００６１】
ステップＳ３では、給湯要求があり、かつ温水暖房ＯＮの状態であるか否かが判断される。ステップＳ３の条件が成立した場合には、ステップＳ４に処理が進められる。ステップＳ４では、制御装置１１０は、温水暖房ユニット３０５と同じ部屋の冷媒室内機３０３について暖房ＯＮにするとともに、温水暖房ユニット３０５がＯＦＦ、コイル熱交換器１８がＯＮとなるように三方弁２０を制御し、暖房給湯同時運転を行なう。ステップＳ３の条件が成立しない場合には、ステップＳ４は実行されずにステップＳ５に処理が進められる。
【００６２】
ステップＳ５では、制御装置１１０は、給湯暖房同時運転中に給湯要求なしとなったか否かを判断する。なお、給湯要求なしとなるのは、給湯完了し、コイル熱交換器１８で加熱が進んだ結果、貯湯タンク１９に湯が溜まった場合である。制御装置１１０は、温度センサ２１１の検出する温度の上昇によって、給湯要求なしとなったことを検出することができる。ステップＳ５にて給湯要求なしとなった場合はステップＳ６に処理が進められる。ステップＳ６では、冷媒室内機３０３による自動暖房をＯＦＦとし、給湯ＯＦＦかつ自動温水暖房ＯＮとなるように三方弁２０が制御される。一方ステップＳ５において、給湯要求ありが継続している場合や給湯暖房同時運転中ではない場合（Ｓ５でＮＯ）および、ステップＳ６の処理が実行された場合、ステップＳ７において処理はメインルーチンに戻される。
【００６３】
以上のように制御することによって、給湯中に室内の暖房が中断されないので、室内温度が維持され、快適性が向上する。
【００６４】
ここで、冷媒室内機３０３が自動ＯＮしているときは、ステップＳ４において、自動ＯＮしている旨を表示部１０９にて表示するようにする。そうすることで、ユーザーが自動ＯＮしているのか、それとも消し忘れによる暖房ＯＮであるのかを認知することができる。表示方法は表示部１０９がディスプレイを有し、ディスプレイ上に文字や絵で表示するようにしても良いし、あるいは表示部１０９が発光箇所を有し赤や緑などにリモートコントローラ１０７を発光させる方法でもよい。
【００６５】
［実施の形態２］
実施の形態１では、冷媒室内機３０３と温水暖房ユニット３０５が一台ずつ同じ部屋内に設置されている簡単な構成について示した。実施の形態２では、複数の部屋があり、冷媒室内機と温水暖房ユニットが必ずしも同じ部屋に設置されていない例について説明する。
【００６６】
＜全体構成＞
図５は、実施の形態２に係る空気調和装置の全体構成を示した概略図である。図５を参照して、室外に熱源ユニット３０１が配置され、室内の１階に分岐ユニット３０２Ａ、冷媒室内機３０３Ａ、温水ユニット３０４、温水暖房ユニット３０５Ａが配置されている。２階には、温水暖房ユニット３０５Ｂと冷媒室内機３０３Ｂとが別々の部屋に設置されている。そして、各ユニットが、図５に示すように、配管によって接続されている。
【００６７】
冷媒室内機３０３Ａは温水暖房ユニット３０５Ａと同室に設置され、冷媒室内機３０３Ｂはいずれの温水暖房ユニット３０５Ａ，３０５Ｂともに設置されていない。
【００６８】
冷媒室内機３０３Ａ，３０３Ｂは、室内に温風を供給して暖房を行う。また、温水ユニット３０４は、給湯のために温水をタンクに蓄える。なお、図５に示した配置はユニット設置の一例であり、本発明が適用されるユニット配置は、このような図５の配置に限定されるものではない。例えば、冷媒室内機３０３Ａ、３０３Ｂは３台以上であってもよい。
【００６９】
＜機器構成＞
図６は、実施の形態２に係る空気調和装置の冷媒回路の構成を示す図である。図５、図６を参照して、実施の形態２に係る空気調和装置５１０は、熱源ユニット３０１と、温水暖房ユニット３０５Ａ，３０５Ｂと、冷媒室内機３０３Ａ，３０３Ｂと、温水ユニット３０４と、制御装置１１０Ａとを含む。
【００７０】
図６に示した空気調和装置５１０は、図２に示した空気調和装置５００の構成において、温水暖房ユニット３０５の代わりに並列的に三方弁２０と分岐点２３との間に接続された２台の温水暖房ユニット３０５Ａ，３０５Ｂを含む。また、空気調和装置５１０は、空気調和装置５００の構成において、冷媒室内機３０３の代わりに、配管３と配管９との間に温水ユニットと共に並列接続された冷媒室内機３０３Ａ，３０３Ｂとを含む。空気調和装置５１０は、さらに、分岐ユニット３０２に代えて分岐ユニット３０２Ａを含む。
【００７１】
空気調和装置５１０は、蒸気圧縮式のサイクル運転を行うことによって、冷媒室内機３０３Ａ、３０３Ｂによる暖房指令（暖房ＯＮ／ＯＦＦ）と、温水ユニット３０４による給湯要求指令（給湯ＯＮ／ＯＦＦ）とを同時に処理することができる。また、温水ユニット３０４にて三方弁２０を切り換えることよって、貯湯タンク１９内の水の加熱または温水暖房ユニット３０５Ａ，３０５Ｂでの暖房を選択的に行なうことができる。
【００７２】
熱源ユニット３０１と分岐ユニット３０２Ａとは、冷媒配管である配管３および配管９を介して接続されている。また、分岐ユニット３０２Ａと冷媒室内機３０３Ａ，３０３Ｂとは、冷媒配管である配管４Ａ，４Ｂ、および配管７Ａ，７Ｂを介して接続されている。さらに、分岐ユニット３０２Ａと温水ユニット３０４とは、冷媒配管である配管１０および配管１２を介して接続されている。
【００７３】
分岐ユニット３０２Ａは、減圧機構８Ａ，８Ｂと、減圧機構１３とを含む。また、温度センサ２０３Ａ，２０３Ｂは、冷媒室内機３０３Ａ，３０３Ｂの配管４Ａ，４Ｂ側にそれぞれ設けられている。温度センサ２０６は、温水ユニット３０４の配管１０側に設けられている。温度センサ２０３Ａ，２０３Ｂ，２０６は、各々の設置場所の冷媒温度を計測する。
【００７４】
冷媒室内機３０３Ａは、熱交換器５Ａと、送風機６Ａとを含む。同様に、冷媒室内機３０３Ｂは、熱交換器５Ｂと、送風機６Ｂとを含む。送風機６Ａ、６Ｂは、ともに送風量の調整が可能である。そして、冷媒室内機３０３Ａ，３０３Ｂは、送風機６Ａ、６Ｂの働きにより吸入した室内空気を、熱交換器５Ａ，５Ｂにて冷媒と熱交換させた後に、室内に吹出す。
【００７５】
冷媒室内機３０３Ａ、３０３Ｂには、温度センサ２０５Ａ，２０５Ｂが熱交換器５Ａ，５Ｂの配管７Ａ，７Ｂ側にそれぞれ設けられており、各々の設置場所の冷媒温度を計測する。また、温度センサ２０４Ａ，２０４Ｂが室内空気の吸入口側に設けられており、ユニットに流入する室内空気の温度を計測する。
【００７６】
なお、熱源ユニット３０１、温水ユニット３０４の構成は図２で説明したので説明は繰り返さない。
【００７７】
図７は、制御装置１１０Ａとセンサ群およびアクチュエータ群との接続構成を示すブロック図である。図７を参照して、制御装置１１０Ａは、空気調和装置５１０の制御を行なう主制御装置１０１Ａと、リモートコントローラ１０７とを含んで構成される。なお、図７には示していないが、主制御装置１０１Ａは、リモートコントローラ１０７からの指令も読み取ることができる受信回路等の構成も含む。
【００７８】
センサ群とは、各種の温度センサ２０２,２０３，２０４Ａ，２０４Ｂ，２０５Ａ，２０５Ｂ，２０６〜２１３、および圧力センサ２０１を含む総称である。また、アクチュエータ群とは、圧縮機１、四方弁２、減圧機構８Ａ，８Ｂ，１３、送風機６Ａ，６Ｂ，１５、水ポンプ１７および三方弁２０を含む総称である。
【００７９】
ここで、図７においては、主制御装置１０１Ａは、温度センサ２０４に代えて温度センサ２０４Ａ，２０４Ｂから信号を受け、減圧機構８に代えて減圧機構８Ａ，８Ｂを制御し、送風機６に代えて送風機６Ａ，６Ｂを制御する。上記の点以外は、主制御装置１０１Ａは図３に示した主制御装置１０１と構成は基本的に同じである。
【００８０】
測定部１０２、演算部１０３、制御部１０４は、マイクロコンピュータにより構成されており、記憶部１０５は、半導体メモリなどによって構成されている。工事作業者は、冷媒室内機３０３Ａ，３０３Ｂが温水暖房ユニット３０５Ａ，３０５Ｂと同じ部屋に設置されているかを設置工事時に入力部１０８から入力し、記憶部１０５に記憶させる。記憶させる情報は、温水暖房ユニット３０５Ａ、３０５Ｂと冷媒室内機３０３Ａ，３０３Ｂとがそれぞれ同じ部屋かもしくは違う部屋かが分かるような情報であれば何でもよい。例えば、冷媒室内機３０３Ａ，３０３Ｂと同じ部屋に温水暖房ユニット３０５Ａ，３０５Ｂが「ある」または「なし」を選択する、という入力にしてもよい。
【００８１】
＜温水暖房運転モード＞
次に、温水暖房運転モードの運転状態について説明する。基本的には、実施の形態２の温水暖房運転モードは実施の形態１と同じである。
【００８２】
二次冷媒の流路についての違いは、三方弁２０は水熱交換器１１と温水暖房ユニット３０５Ａ，３０５Ｂが連通するように接続され、コイル熱交換器１８側は閉止となる点である。また、一次冷媒の流路についての違いは、減圧機構８Ａ，８Ｂは閉路に制御される点である。したがって、詳細な説明は実施の形態１と同じ部分については繰り返さない。
【００８３】
＜給湯運転モード＞
次に、給湯運転モードの運転状態について説明する。実施の形態２における空気調和装置５１０は、実施の形態１と同様に、水熱交換器１１とコイル熱交換器１８とを接続し、配管２１側を閉止するように三方弁２０を制御する。また、圧縮機１の運転周波数は湯切れ回避を狙い、最大周波数固定で制御されている。
【００８４】
＜暖房同時運転モード＞
実施の形態２では、熱源ユニット３０１のヒートポンプ能力内において、温水暖房と冷媒室内機による暖房とを同時に運転させる暖房同時運転を行なうことができる。この暖房同時運転モードの運転状態について詳細に説明する。
【００８５】
空気調和装置５１０は、リモートコントローラ１０７の入力部１０８から入力することができる「暖房ＯＮ」指令と「温水暖房ＯＮ」指令とを同時に処理することが可能である。空気調和装置５１０は、一次冷媒による室内機暖房と二次冷媒による温水暖房とを同時運転する暖房同時運転を実施することができる。以下に、暖房同時運転モードにおける一次冷媒の流れの状態および各機器の制御方法について説明する。
【００８６】
暖房同時運転モードにおいて、四方弁２は、圧縮機１の吐出側が配管３と接続され、圧縮機１の吸入側が熱交換器１４のガス側に接続されるように制御される。三方弁２０は水熱交換器１１と温水暖房ユニット３０５Ａ，３０５Ｂが連通するように制御され、コイル熱交換器１８側は閉路に制御されている。
【００８７】
圧縮機１から吐出した高温・高圧のガス状態の一次冷媒は、四方弁２を経由して配管３を流れ、配管４Ａ，４Ｂと配管１０とに分配される。
【００８８】
配管４Ａ，４Ｂに流れる一次冷媒は、熱交換器５Ａ，５Ｂに流入し、送風機６Ａ，６Ｂによって供給される室内空気を加熱して、熱交換器５Ａ，５Ｂから流出する。その後、熱交換器５Ａ，５Ｂから流出した冷媒は、配管７Ａ，７Ｂを経由して、減圧機構８Ａ，８Ｂにより減圧される。
【００８９】
一方、配管１０に分配された一次冷媒は、水熱交換器１１に流入し、水ポンプ１７によって供給される二次冷媒（中間水）を加熱する。その後、一次冷媒は、水熱交換器１１から流出し、配管１２を経由して、減圧機構１３により減圧される。減圧機構１３を通過した一次冷媒は、熱交換器５Ａ，５Ｂを経由し減圧機構８Ａ，８Ｂにより減圧された一次冷媒と合流する。
【００９０】
合流後の冷媒は、配管９を経由して熱交換器１４に流入し、送風機１５によって供給される室外空気と熱交換を行ない、低圧ガス冷媒となる。熱交換器１４から流出した低圧ガス冷媒は、その後、四方弁２を経由して、アキュムレータ１６を通過後、再び圧縮機１に吸入される。
【００９１】
圧縮機１の運転周波数は所定の凝縮温度が凝縮温度目標値（例えば５０℃）となるように制御される。また、送風機１５の回転速度は、最大回転速度で固定とする。送風機６Ａ、６Ｂの回転速度は、利用者によりリモートコントローラ１０７で設定入力された指令値に固定され、水ポンプ１７の回転速度は、所定の回転速度に固定される。
【００９２】
減圧機構８Ａ，８Ｂ、減圧機構１３の各開度は、冷媒室内機３０３Ａの容量、冷媒室内機３０３Ｂの容量、温水ユニット３０４の容量に基づいて、各ユニットの容量比に応じて、主制御装置１０１によって制御される。
【００９３】
減圧機構としては、電子膨張弁を使用することができる。電子膨張弁は、制御信号のパルス数で開度を制御することができる。電子膨張弁は、パルス数が大きいほど開度が大きくなる。例えば、冷媒室内機３０３Ａが０．５馬力、冷媒室内機３０３Ｂが０．８馬力、温水ユニット３０４が２馬力の場合、減圧機構８Ａは、１００パルス、減圧機構８Ｂは、１６０パルス、減圧機構１３は、４００パルスとして、開度が制御される。なお、各ユニットの容量は、記憶部１０５にあらかじめ記憶されている。
【００９４】
＜暖房給湯同時運転モード＞
空気調和装置５１０は、リモートコントローラ１０７の入力部１０８から入力することができる「暖房ＯＮ」指令および「給湯ＯＮ」指令を同時に処理することも可能である。このときには、暖房給湯同時運転を実施する。以下に、暖房給湯同時運転モードにおける冷媒の流れ状態および各機器の制御方法を説明する。
【００９５】
三方弁２０は、水熱交換器１１とコイル熱交換器１８が連通するように制御され、温水暖房ユニット３０５Ａ，３０５Ｂ側は閉路に制御されている。また、圧縮機１の運転周波数は湯切れ回避を狙い、最大周波数固定で制御されている。このように制御することによって温水ユニット３０４は給湯するために運転される。その他の動作は暖房同時運転モードと同様となる。
【００９６】
＜温水暖房運転モード時の給湯要求発生時のアシスト暖房動作＞
アシスト暖房動作については、実施の形態２の空気調和装置５１０は、基本的には、制御装置１１０Ａは、給湯要求を受けると温水暖房を停止させて貯湯タンク１９の水を加熱することによって温水を作り、かつその間は冷媒室内機３０３Ａを用いたアシスト暖房を実施する。
【００９７】
ここで、図６に示すように、実施の形態２の熱源ユニット３０１には分岐ユニット３０２Ａを介在させて冷媒室内機３０３Ａ、冷媒室内機３０３Ｂ、温水ユニット３０４の３台が接続されている。このような構成では、熱源ユニット３０１に接続は許容するが、冷媒利用ユニットの運転可能台数（容量）が接続台数（容量）より少ない場合がある。例えば、冷媒利用ユニットの接続容量上限は２００％（３台接続）であるが、運転容量上限は１３０％（運転可能台数２台まで）である場合である。
【００９８】
そのような場合、制御装置１１０Ａは、複数の冷媒室内機のうちから熱源ユニット３０１の容量に対応する台数制限の範囲内で、少なくとも１台以上の冷媒室内機を給湯開始時に自動で暖房運転開始させる。
【００９９】
この制約を実施した場合に、実施の形態２では制御装置１１０Ａは以下のように制御を行なう。
【０１００】
図８は、運転台数の制約がある場合のアシスト暖房の制御を説明するためのフローチャートである。このフローチャートの処理は、一定時間ごとにメインルーチンから呼び出されて実行される。図６、図８を参照して、制御装置１１０Ａは、ステップＳ１１において温水暖房運転開始の要求をリモートコントローラ１０７の入力部１０８から受信したか否かを判断する。温水暖房運転開始の要求を受信した場合（Ｓ１１でＹＥＳ）、制御装置１１０ＡはステップＳ１２において、温水暖房運転を開始させるように、熱源ユニット３０１、分岐ユニット３０２Ａおよび温水ユニット３０４を制御し、ステップＳ１３に処理を進める。一方、温水暖房運転開始の要求を受信していない場合（Ｓ１１でＮＯ）、制御装置１１０ＡはステップＳ１２の処理を実行せずに、ステップＳ１３に処理を進める。
【０１０１】
ステップＳ１３では、給湯要求があり、かつ温水暖房ＯＮの状態であるか否かが判断される。ステップＳ１３の条件が成立した場合には、ステップＳ１４に処理が進められる。
【０１０２】
ステップＳ１４では、冷媒室内機３０３Ｂが暖房運転中であるか否かが判断される。ステップＳ１４において冷媒室内機３０３Ｂが暖房運転中であった場合（Ｓ１４でＹＥＳ）、ステップＳ１５において、制御装置１１０Ａは、冷媒室内機３０３Ｂの運転を一時的に中断する。なお、ステップＳ１４において冷媒室内機３０３Ｂが暖房運転中でない場合（Ｓ１４でＮＯ）、ステップＳ１５の処理は行なわれない。
【０１０３】
ステップＳ１６では、制御装置１１０Ａは、温水暖房ユニット３０５Ａと同じ部屋の冷媒室内機３０３Ａについて暖房ＯＮにするとともに、温水暖房ユニット３０５ＡがＯＦＦ、コイル熱交換器１８がＯＮとなるように三方弁２０を制御し、暖房給湯同時運転を行なう。ステップＳ１３の条件が成立しない場合には、ステップＳ１４，Ｓ１５の処理は実行されずにステップＳ１７に処理が進められる。
【０１０４】
このように、冷媒室内機３０３Ｂの運転よりも冷媒室内機３０３Ａの運転を優先させるのは、基本的には温水暖房ユニット３０５Ａ，３０５Ｂは、住人がいる可能性の高い部屋に設置される場合が多いからである。このようにすることで、住人がいる可能性の高い部屋において、室内の暖房を継続することができる。
【０１０５】
なお、図８のフローチャートのステップＳ１６において温水暖房ＯＦＦ、給湯ＯＮ、冷媒室内機３０３Ａの自動暖房ＯＮとなっている間に、冷媒室内機３０３Ｂに対する暖房ＯＮの要求信号があった場合、すでに運転台数が上限の２台（冷媒室内機３０３Ａ、温水ユニット３０４）となっているので、追加を許容しないようにする。こうすることで、１階の暖房能力不足及び給湯能力低下による湯切れを回避することができる。
【０１０６】
ステップＳ１６に続いては、ステップＳ１７からステップＳ２０において、給湯要求が無くなった場合の復帰処理が行なわれる。まずステップＳ１７において、温水暖房運転設定中に、給湯要求がＯＮからＯＦＦに変化したか否かが判断される。ステップＳ１７の条件が成立した場合には、ステップＳ１８に処理が進められる。
【０１０７】
ステップＳ１８では、制御装置１１０Ａは、冷媒室内機３０３Ａについて暖房ＯＦＦにするとともに、温水暖房ユニット３０５ＡがＯＮ、コイル熱交換器１８がＯＦＦとなるように三方弁２０を制御し、暖房給湯同時運転を終了する。ステップＳ１７の条件が成立しない場合には、ステップＳ１８〜Ｓ２０の処理は実行されずにステップＳ２１に処理が進められる。
【０１０８】
ステップＳ１８に続き、ステップＳ１９に処理が進められる。ステップＳ１９では、冷媒室内機３０３Ｂが暖房運転中断中であるか否かが判断される。ステップＳ１９において冷媒室内機３０３Ｂが暖房運転中断中であった場合（Ｓ１９でＹＥＳ）、ステップＳ２０において、制御装置１１０Ａは、冷媒室内機３０３Ｂの運転を再開する。なお、ステップＳ１９において冷媒室内機３０３Ｂが暖房運転中断中でない場合（Ｓ１９でＮＯ）、ステップＳ２０の処理は行なわれない。
【０１０９】
＜暖房同時運転の制限＞
温水暖房運転中に、温水暖房ユニットが設置されていない２階の冷媒室内機３０３Ｂにおいて、ユーザーが暖房ＯＮとしたい場合がある。冷媒室内機３０３Ｂの暖房運転では通常、吹出温度が人の体温よりやや高い３８℃以上とすることが必要である。しかし、温水暖房ユニット３０５Ａ，３０５Ｂが温水床暖房の場合において設定温度が低くなると、設定温度の低下に伴い冷媒温度が３８℃よりも低くなる場合がある。一般に、温水床暖房のほうがファンコイルなどよりも設定温度が低い。冷媒温度が低下すると、吹出温度３８℃以上とするのが困難となり、冷媒室内機による暖房の快適性が低下する。
【０１１０】
そのため、以下のフローチャートの動作を実施する。図９は、暖房同時運転を制限する場合の処理を説明するためのフローチャートである。
【０１１１】
まず、ステップＳ３１において、制御装置１１０Ａは、空気調和システムが温水暖房運転中か否かを判断する。温水暖房運転中の場合（Ｓ３１でＹＥＳ）、制御装置１１０Ａは、ステップＳ３２において、冷媒室内機による暖房ＯＮ要求の信号を受信したか否かを判断する。ステップＳ３２にて冷媒室内機３０３Ｂの暖房ＯＮ要求を受信したら、制御装置１１０Ａは、ステップＳ３３にて温水暖房設定温度が暖房同時運転しきい値以上であるか否かを判断する。ここで、暖房同時運転しきい値は、例えば人の体温以上を確保できる４０℃以上とする。
【０１１２】
ステップＳ３３において温水暖房設定温度が４０℃以上である場合は、制御装置１１０ＡはステップＳ３４に処理を進め、冷媒室内機と温水暖房の暖房同時運転を実施する。一方、ステップＳ３３において、温水暖房設定温度が４０℃未満である場合は、制御装置１１０Ａは、ステップＳ３５において、暖房ＯＮ要求があったユニットにて暖房不可である旨を表示する。この場合、暖房する場合は温水暖房設定温度を４０℃以上に変更するように促す表示を行なっても良い。そして、ステップＳ３６において温水暖房単独運転を継続する。
【０１１３】
このようにすることで、冷媒室内機３０３Ｂから低温度の吹出風が出力されることを回避できる。また、温水暖房設定温度を高くすることを促すので、ユーザーは冷媒室内機３０３Ｂによる暖房をする場合に温水暖房の設定温度を高くする必要があることに気がつくことができる。その結果、ユーザーが設定温度を変更すれば暖房同時運転を実施することができるので、温水暖房かつ高温度吹出風が出力される暖房同時運転を実施することができ、快適性が向上する。
【０１１４】
図９に示したように、制御装置１１０Ａは、暖房運転モードが指定されており、かつ冷媒室内機に対する暖房開始要求を受信した場合、温水暖房ユニット３０５を用いた暖房の設定温度がしきい値（例えば４０℃）より高いときには暖房開始要求を受け付ける一方で、設定温度がしきい値より低いときには暖房開始要求を受け付けない。
【０１１５】
なお、表示するリモートコントローラ１０７は冷媒室内機３０３Ａ、３０３Ｂ、温水ユニット３０４に対して個別に備えるようにしても良いし、一つのリモートコントローラに集約して、リモートコントローラ一つで複数の冷媒室内機３０３Ａ，３０３Ｂ、温水ユニット３０４を運転変更、設定温度変更、設定温度変更を表示するようにしても良い。
【０１１６】
ここで、ステップＳ３３は設定温度による判定としたが、温水暖房ユニット３０５Ａ，３０５Ｂのユニット形態（温水床暖房、ファンコイル、ラジエータ、など）によって運転判定するようにしても良い。例えば、温水暖房設定温度はユニット形態によりおおよそ決まっており、通常、温水床暖房３５℃、ファンコイル４５℃、ラジエータ５０℃程度である。そのため、温水暖房運転しているユニットに温水床暖房が含まれている場合は暖房同時運転を禁止し、含まれていない場合は暖房同時運転を実施する。
【０１１７】
すなわち、制御装置１１０Ａは、暖房運転モードが指定されており、かつ冷媒室内機に対する暖房開始要求を受信した場合、二次冷媒を使用する暖房ユニットの種類に基づいて暖房開始要求を受け付けるか否かを判断する。
【０１１８】
そうすることで、暖房時に冷媒室内機３０３Ｂにて人の体温以下の吹出温度となることを回避できる。また、温水暖房設定温度を高くすることを促して、暖房同時運転を実施することができるので、快適性が向上する。
【０１１９】
また、ここで、ステップＳ３３は設定温度に基づく判定としたが、凝縮温度に基づいて運転モードを判定するようにしてもよい、例えば、ステップＳ３３にて圧力センサ２０１の検出圧力の飽和温度を凝縮温度とし、凝縮温度が４０℃以上の場合は暖房同時運転を許可し、４０℃未満の場合は暖房同時運転を禁止するようにする。
【０１２０】
すなわち、制御装置１１０Ａは、暖房運転モードが指定されており、かつ冷媒室内機に対する暖房開始要求を受信した場合、熱源ユニット３０１の凝縮温度がしきい値より高いときには暖房開始要求を受け付ける一方で、熱源ユニット３０１の凝縮温度がしきい値より低いときには暖房開始要求を受け付けない。そうすることで、暖房時に冷媒室内機３０３Ｂにおいて人の体温以下の吹出温度となることを回避できる。
【０１２１】
なお、本実施の形態では温水暖房ユニット３０５Ａ，３０５Ｂの温水設定温度を共通としたが、これに限定されず、温水暖房ユニット３０５Ａと温水暖房ユニット３０５Ｂで別々の設定温度とすることが可能なようにシステムを構成してもよい。その場合は温水暖房中で設定温度の一番低いものをステップＳ３３のしきい値との比較に用いる。
【０１２２】
また、熱源ユニット３０１は本実施の形態ではヒートポンプであったが、これによらず、ボイラー熱源、ガス熱源でもよい。
【０１２３】
以上、実施の形態２においても、実施の形態１と同様に、給湯中に室内の暖房が中断されないので、室内温度が維持され、快適性が向上する。実施の形態２は、上記に加えて、複数の部屋があり、冷媒室内機と温水暖房ユニットが必ずしも同じ部屋に設置されていない場合であっても、適切な冷媒室内機を選択して暖房を継続することができる。
【０１２４】
［実施の形態３］
以下、実施の形態３について説明する。なお、実施の形態３では実施の形態２からの変更点を中心に説明する。
【０１２５】
図１０は、実施の形態３における空気調和装置５２０の全体構成を示す図である。実施の形態２では、２階の冷媒室内機３０３Ｂは、温水暖房ユニット３０５Ｂとは異なる部屋に設置されていた。これに対して、実施の形態３では２階において冷媒室内機３０３Ｂが温水暖房ユニット３０５Ｂと同じ部屋に設置されている。つまり、実施の形態３では温水暖房ユニット３０５Ａと冷媒室内機３０３Ａとが１階の同じ部屋に設置され、温水暖房ユニット３０５Ｂと冷媒室内機３０３Ｂとが２階の同じ部屋に設置されている。
【０１２６】
この場合、暖房給湯同時運転時に、給湯ＯＮと自動暖房ＯＮをそのまま適用すると冷媒室内機３０３Ａの自動暖房ＯＮと、冷媒室内機３０３Ｂの自動暖房ＯＮと、温水ユニット３０４の給湯ＯＮとが重なってしまう。この場合３台運転となり熱源ユニット３０１の能力を超えるので、冷媒室内機３０３Ａ，３０３Ｂから低温風が吹出される。そのため、実施の形態３では、自動暖房ＯＮとする冷媒室内機３０３Ａを選択し、選択した冷媒室内機３０３Ａのみを自動暖房ＯＮとする。こうすることで、ユーザーがより暖房能力を必要とする部屋に対して暖房能力を確保することができる。
【０１２７】
なお、空気調和装置の冷媒回路の構成に関しては、実施の形態３においても図６に示した構成と同じであるので、説明は繰り返さない。
【０１２８】
図１１は、実施の形態３において実行される制御を説明するためのフローチャートである。このフローチャートの処理は、一定時間ごとにメインルーチンから呼び出されて実行される。図６、図１１を参照して、制御装置１１０Ａは、ステップＳ５１において温水暖房運転開始の要求をリモートコントローラ１０７の入力部１０８から受信したか否かを判断する。温水暖房運転開始の要求を受信した場合（Ｓ５１でＹＥＳ）、制御装置１１０ＡはステップＳ５２において、温水暖房運転を開始させるように、熱源ユニット３０１、分岐ユニット３０２Ａおよび温水ユニット３０４を制御し、ステップＳ５３に処理を進める。一方、温水暖房運転開始の要求を受信していない場合（Ｓ５１でＮＯ）、制御装置１１０ＡはステップＳ５２の処理を実行せずに、ステップＳ５３に処理を進める。
【０１２９】
ステップＳ５３では、給湯要求があり、かつ温水暖房ＯＮの状態であるか否かが判断される。ステップＳ５３の条件が成立した場合には、ステップＳ５４に処理が進められる。ステップＳ５４では、制御装置１１０は、温水暖房ユニット３０５がＯＦＦ、コイル熱交換器１８がＯＮとなるように三方弁２０を制御するとともに、冷媒室内機３０３Ａ，３０３Ｂのいずれか一方をＯＮし、暖房給湯同時運転を行なう。ステップＳ５３の条件が成立しない場合には、ステップＳ５４は実行されずにステップＳ５５に処理が進められる。
【０１３０】
ステップＳ５５では、制御装置１１０Ａは、給湯暖房同時運転中に給湯要求がＯＮからＯＦＦに変化した否かを判断する。なお、給湯要求ＯＦＦとなるのは、給湯完了し、コイル熱交換器１８で加熱が進んだ結果、貯湯タンク１９に湯が溜まった場合である。ステップＳ５５にて給湯要求なしとなった場合はステップＳ５６に処理が進められる。ステップＳ５６では、冷媒室内機３０３Ａまたは３０３Ｂによる自動暖房をＯＦＦとし、給湯ＯＦＦかつ自動温水暖房ＯＮとなるように三方弁２０が制御される。一方ステップＳ５５において、給湯要求ありが継続している場合や給湯暖房同時運転中ではない場合（Ｓ５５でＮＯ）および、ステップＳ５６の処理が実行された場合、ステップＳ５７において処理はメインルーチンに戻される。
【０１３１】
図１２は、図１１のステップＳ５４において実行される冷媒室内機を選択する処理の一例を示すフローチャートである。このフローチャートの選択処理では、２階の冷媒室内機３０３Ｂの部屋の温度ＴＢが空調の設定温度ＴＨよりも低いＴＬに低下するまでは、１階の冷媒室内機３０３Ａの運転を優先させる。
【０１３２】
図１２を参照して、まず主制御装置１０１Ａは、ステップＳ６１において２階の部屋の温度ＴＢがしきい値ＴＬより低いか否かを判断する。ステップＳ６１においてＴＢ＜ＴＬが成立した場合（Ｓ６１でＹＥＳ）、ステップＳ６２において、主制御装置１０１Ａは、冷媒室内機３０３ＢをＯＮとし、冷媒室内機３０３ＡをＯＦＦとする。
【０１３３】
ステップＳ６１においてＴＢ＜ＴＬが成立しない場合（Ｓ６１でＮＯ）、ステップＳ６３に処理が進められる。主制御装置１０１Ａは、ステップＳ６３において２階の部屋の温度ＴＢが設定温度ＴＨより高いか否かを判断する。ステップＳ６３においてＴＢ＞ＴＨが成立した場合（Ｓ６３でＹＥＳ）、ステップＳ６４において、主制御装置１０１Ａは、冷媒室内機３０３ＢをＯＦＦとし、冷媒室内機３０３ＡをＯＮとする。
【０１３４】
ステップＳ６３においてＴＢ＞ＴＨが成立しない場合（Ｓ６３でＮＯ）、ステップＳ６５に処理が進められる。主制御装置１０１Ａは、ステップＳ６５においては、冷媒室内機の現在の運転状況を維持する。
【０１３５】
ステップＳ６２，Ｓ６４，Ｓ６５のいずれかにおいて、冷媒室内機の運転状況が決定された場合には、ステップＳ６６に処理が進められ、図１１のフローチャートに制御が戻される。
【０１３６】
図１３は、図１２のフローチャートの選択処理によって、冷媒室内機３０３Ａ，３０３Ｂの運転が調整された例を説明するためのタイミングチャートである。図１３において、室内温度ＴＡ（１階）は例えば、冷媒室内機３０３Ａの温度センサ２０４Ａの検出温度である。また、室内温度ＴＢ（２階）は冷媒室内機３０３Ｂの温度センサ２０４Ｂの検出温度である。又は、温水暖房ユニット３０５Ａの温度調節に使用している１階の温度センサ（図示せず）の検出温度、温水暖房ユニット３０５Ｂの温度調節に使用している２階の温度センサ（図示せず）の検出温度を、それぞれ１階の室内温度、２階の室内温度としてもよい。また、暖房ＯＮしきい値ＴＬは暖房設定温度ＴＨから所定値を引いた値（例えば３℃引いた値）とする。
【０１３７】
図１３の時刻ｔ０からｔ１において、主制御装置１０１Ａは、自動暖房ＯＮとする冷媒室内機として冷媒室内機３０３Ａを選択している。この場合において冷媒室内機３０３Ｂの室内温度ＴＢが暖房ＯＮしきい値ＴＬ以下となった時刻ｔ１では、主制御装置１０１Ａは、冷媒室内機３０３Ａを停止とし、冷媒室内機３０３Ｂを自動暖房ＯＮとする。
【０１３８】
時刻ｔ２において、室内温度ＴＢ（２階）が設定温度ＴＨとなったら、主制御装置１０１Ａは、冷媒室内機３０３Ｂを停止し、冷媒室内機３０３Ａを自動暖房ＯＮとする。以降、時刻ｔ３、ｔ４ではそれぞれ時刻ｔ１、ｔ２における処理が繰り返されている。
【０１３９】
このように、実施の形態３では、制御装置１１０Ａは、複数の冷媒室内機がそれぞれ設置されている部屋の温度に応じて、自動で暖房運転する冷媒室内機を変更する。
【０１４０】
以上説明したように、実施の形態３では、実施の形態１，２において奏する効果に加えて、温水暖房ユニット３０５Ａ，３０５Ｂが設置されている複数の部屋にて温度調節をすることが可能となり、１階と２階の双方にユーザーがいても快適性を損なわないようにすることができる。
【０１４１】
今回開示された実施の形態は、すべての点で例示であって制限的なものではないと考えられるべきである。本発明の範囲は、上記した実施の形態の説明ではなくて請求の範囲によって示され、請求の範囲と均等の意味及び範囲内でのすべての変更が含まれることが意図される。
【符号の説明】
【０１４２】
１  圧縮機、２  四方弁、３，４Ａ，４Ｂ，７Ａ，７Ｂ，９，１０，１２，２１，２２  配管、５，５Ａ，５Ｂ，１４  熱交換器、６，６Ａ，６Ｂ，１５  送風機、８，８Ａ，８Ｂ，１３  減圧機構、１１  水熱交換器、１６  アキュムレータ、１７  水ポンプ、１８  コイル熱交換器、１９  貯湯タンク、２０  三方弁、２３  分岐点、１０１，１０１Ａ  主制御装置、１０２  測定部、１０３  演算部、１０４  制御部、１０５  記憶部、１０７  リモートコントローラ、１０８  入力部、１０９  表示部、１１０，１１０Ａ  制御装置、２０１  圧力センサ、２０２，２０３，２０３Ａ，２０３Ｂ，２０４，２０４Ａ，２０４Ｂ，２０５，２０５Ａ，２０５Ｂ，２０６〜２１３  温度センサ、３０１  熱源ユニット、３０２  分岐ユニット、３０３，３０３Ａ，３０３Ｂ  冷媒室内機、３０４  温水ユニット、３０５，３０５Ａ，３０５Ｂ  温水暖房ユニット、５００，５１０，５２０  空気調和装置。
【図１】
2017126059.tif 000003
【図２】
2017126059.tif 000004
【図３】
2017126059.tif 000005
【図４】
2017126059.tif 000006
【図５】
2017126059.tif 000007
【図６】
2017126059.tif 000008
【図７】
2017126059.tif 000009
【図８】
2017126059.tif 000010
【図９】
2017126059.tif 000011
【図１０】
2017126059.tif 000012
【図１１】
2017126059.tif 000013
【図１２】
2017126059.tif 000014
【図１３】
2017126059.tif 000015
【国際調査報告】
2017126059.tif 000016
2017126059.tif 000017
2017126059.tif 000018
2017126059.tif 000019